(57)【要約】【課題】背折り成形時に凹凸、皺、歪曲のない製本仕上げが可能で連続するシート束を高速に製本処理することが可能な製本装置を提供する。【解決手段】シート束を接着剤塗布位置、表紙綴じ位置の順に移送する製本経路と、上記接着剤塗布位置に配置されシート束の背綴じ端面に接着剤を塗布する接着剤塗布手段と、上記製本経路と交差し上記表紙綴じ位置に表紙シートを給送する表紙給送経路と、上記表紙綴じ位置に配置され上記シート束と表紙シートとを綴じ合わせる表紙綴じ手段とを備える。そして上記表紙綴じ手段は表紙シートを背折り成形する背折りプレス手段を備え、この背折りプレス手段は、上記表紙給送経路の表紙綴じ位置の左右に配置され互いに接近及び離反自在の一対の背折りプレス部材で構成し、この背折りプレス部材の少なくとも一方には加熱手段を設ける。【選択図】図８Ａ
2008162178.tif 000002
【特許請求の範囲】
【請求項１】
シート束を接着剤塗布位置、表紙綴じ位置の順に移送する製本経路と、
上記接着剤塗布位置に配置されシート束の背綴じ端面に接着剤を塗布する接着剤塗布手段と、
上記製本経路と交差し上記表紙綴じ位置に表紙シートを給送する表紙給送経路と、
上記表紙綴じ位置に配置され上記シート束と表紙シートとを綴じ合わせる表紙綴じ手段と、
を備え、
上記表紙綴じ手段は表紙シートを背折り成形する背折りプレス手段を有し、
この背折りプレス手段は、上記表紙給送経路の表紙綴じ位置の左右に配置され互いに接近及び離反自在の一対の背折りプレス部材で構成され、
この背折りプレス部材の少なくとも一方には加熱手段が設けられていることを特徴とする製本装置。
【請求項２】
前記左右一対の背折りプレス部材は互いに接近した状態で前記表紙綴じ位置に表紙給送経路から表紙シートを案内すると共に所定温度に加熱し、背折り成形時には背折り縁部を加熱することを特徴とする請求項１に記載の製本装置。
【請求項３】
前記表紙綴じ手段は、前記背折りプレス手段の下流側に背当てプレート部材を有し、
この背当てプレート部材は前記表紙綴じ位置において接着剤を塗布されたシート束と表紙シートとを突き当て接合する際に表紙シートをバックアップ支持するように構成されていることを特徴とする請求項１又は２に記載の製本装置。
【請求項４】
前記背当てプレート部材には放熱フィン、ペルチェ素子その他の冷却手段が設けられていることを特徴とする請求項３に記載の製本装置。
【請求項５】
前記一対の背折りプレス部材は、前記表紙綴じ位置に表紙シートを給送セットする際及び／又は表紙シートを背折り成形する際を除き前記背当てプレート部材から離れた離間位置に待機するように制御されることを特徴とする請求項３又は４に記載の製本装置。
【請求項６】
請求項１に記載の製本装置において、
更に表紙綴じ制御手段が設けられ、
この表紙綴じ制御手段は、
前記表紙給送経路から表紙シートを表紙綴じ位置に給送セットする際は前記背折りプレス部材の加熱手段で表紙綴じ位置にセットされた表紙シートを加熱し、
次いで前記接着剤塗布手段でシート束の背綴じ端面に接着剤を塗布するように構成されていることを特徴とする製本装置。
【請求項７】
前記表紙綴じ手段は、前記背折りプレス手段の下流側に背当てプレート部材を有し、
この背当てプレート部材には冷却手段が設けられ、
前記背綴じ制御手段は前記背折りプレス部材で背折り処理したシート束を上記背当てプレート部材で冷却して接着剤を固化することを特徴とする請求項６に記載の製本装置。
【請求項８】
順次シート上に画像形成する画像形成手段を有する画像形成装置と、
上記画像形成装置からのシートを束状に部揃えして表紙シートと綴じ合わせる製本装置とを備え、
上記製本装置は請求項１乃至７の何れかの項に記載の構成を有していることを特徴とする画像形成システム。
【発明の詳細な説明】
【技術分野】
【０００１】
本発明は、画像形成装置などの印刷装置から順次搬出されるシートを束状に集積して部揃えし、このシート束の一端縁（背部綴じ縁）に熱溶融性接着剤（ホットメルト接着剤）を塗布して表紙シートと綴じ合わせる製本装置に関する。
【０００２】
一般にこの種の製本装置はプリンタ、印刷機などの画像形成装置の端末装置として、画像形成されたシートをページ順に積重ねて束状に整合した後、その端面に接着剤を塗布して表紙シートに綴じ合せる装置として広く使用されている。このような製本装置に組み込まれる接着剤塗布装置は、糊などの接着剤を収容する容器と、この容器内に設けられた塗布ロールで液状の接着剤をシート束の一端縁に塗布している。そして容器内には加熱ヒータが内蔵され、容器に充填された固形接着剤を溶解して接着に適した粘性を呈する温度に制御している。
【０００３】
このように固形接着剤を装置内に供給した後、これを加熱溶融する方法は接着剤の取扱いが容易である特徴があるが、容器内で溶解された後の温度管理に細心の配慮が必要となる。例えば、通常使用される固形接着剤は融点が７０℃乃至９０℃程度であり、シートなどの被接着物には１２０℃〜１５０℃に保たれる必要がある。この接着剤の最適温度に対し、これより低い温度のときには完全に溶融しない固体状態の塊が容器内に含まれるか、或いは粘性の強い（高い粘度）接着剤がシート束に塗布される恐れがある。この場合にはシート束の葉間に接着剤が浸透しない為、接着後の冊子状シートが落丁するなどの不具合を招く。
【０００４】
また、接着剤の温度が上記最適温度より高いと粘性が弱く（低い粘度）シート束に塗布する過程で滴下或いは飛散して表紙シートなど汚す不具合を招く。これらの問題と同時に熱溶融性の接着剤は、容器内に充填されるときその量は大容量である場合と、小容量である場合とでは、その後の溶融条件（加熱条件）を異ならせる必要がある。また装置の非使用時には溶解した容器内の接着剤は固化し、その固化状態は環境温度によってそれぞれ異なる。従って、製本装置などの装置を起動する際に固化或いは新たに充填された接着剤を速やかに溶解し、所定の温度に保持する必要がある。このようにホットメルト式接着剤を製本処理に好適な条件で温度制御するには種々の方法が試みられている。
【０００５】
一方このように温度調整された接着剤をシート束に塗布して表紙シートと綴じ合わせて製本仕上げする際には、シート束に表紙シートを背折りプレスして背表紙を成形する際には接着剤は所定の溶融温度に維持し、背折り成形された後は接着剤が速やかに固化接着することが要求される。この為例えば特許文献１には背綴じ部の直下に背当て機構を設け、この背当て機構を加熱板と冷却板を切換えるように構成することが提案されている。つまり同公報には回転部材の外周に加熱板と冷却板を設け、背部をプレス成形する際は加熱板が背部に位置し、背折り成形後は冷却板が背部に位置するような回転機構が開示されている。
【特許文献１】特開２００３−２４６１６３号公報
【発明の開示】
【発明が解決しようとする課題】
【０００６】
上述のように製本装置などでシート束と表紙シートとを綴じ合わせる際にシート束に塗布した接着剤が背折り成形する際には高温に維持され、背折り後は瞬間的に冷却固化することが臨まれる。これに対し、従来は接着剤が自然冷却されるのを待つか或いは前掲特許文献１のように背当て部材を背折り時には加熱板、背折り後は冷却板に切り換えることが試みられている。
【０００７】
従って背綴じ部には加熱板と冷却板とその切換え機構を配置しなければならず装置は大型でコスト高となり、切換動作に時間と動作不良を招く問題がある。これと同時に一方は加熱高温に、他方は冷却低温に構成される部材を同一機構に備えることは両者の機能が相反し互いに干渉して機能低下をもたらす。
【０００８】
そこで本発明者は表紙綴じ手段を背折り成形するプレス部材と表紙シートをバックアップ支持する背当て部材とを互いに分離した機構を採用し、このプレス部材自体を加熱して表紙シートの側縁部を加熱成型し、背当てプレート部材を冷却して背表紙部の接着剤を固化するとの着想に至った。これにより背表紙部に凹凸、皺、歪曲がなく品位に富んだ製本仕上げが可能となった。
【０００９】
本発明は背折り成形時に凹凸、皺、歪曲のない製本仕上げが可能で連続するシート束を高速に製本処理することが可能な製本装置の提供をその課題としている。
更に本発明は、製本品位に富んだ製本装置を簡単な構造で安価に提供することをその課題としている。
【課題を解決するための手段】
【００１０】
本発明は上記課題を解決するために以下の構成を採用したものである。シート束を接着剤塗布位置、表紙綴じ位置の順に移送する製本経路と、上記接着剤塗布位置に配置されシート束の背綴じ端面に接着剤を塗布する接着剤塗布手段と、上記製本経路と交差し上記表紙綴じ位置に表紙シートを給送する表紙給送経路と、上記表紙綴じ位置に配置され上記シート束と表紙シートとを綴じ合わせる表紙綴じ手段とを備える。そして上記表紙綴じ手段は表紙シートを背折り成形する背折りプレス手段を備え、この背折りプレス手段は、上記表紙給送経路の表紙綴じ位置の左右に配置され互いに接近及び離反自在の一対の背折りプレス部材で構成し、この背折りプレス部材の少なくとも一方には加熱手段を設ける。
【００１１】
上記左右一対の背折りプレス部材は互いに接近した状態で上記表紙綴じ位置に表紙給送経路から表紙シートを案内すると共に所定温度に加熱し、背折り成形時には背折り縁部を加熱するように構成する。
【００１２】
上記背折りプレス手段の下流側に背当てプレート部材を配置する。そしてこの背当てプレート部材は上記表紙綴じ位置において接着剤を塗布されたシート束と表紙シートとを突き当て接合する際に表紙シートをバックアップ支持するように構成する。そして上記背当てプレート部材には放熱フィン、ペルチェ素子その他の冷却手段を設ける。
【００１３】
上記一対の背折りプレス部材は、上記表紙綴じ位置に表紙シートを給送セットする際及び／又は表紙シートを背折り成形する際を除き上記背当てプレート部材から離れた離間位置に待機するように制御する。
【００１４】
上述の構成において表紙綴じ制御手段を設け、この表紙綴じ制御手段は上記表紙給送経路から表紙シートを表紙綴じ位置に給送セットする際は上記背折りプレス部材の加熱手段で表紙綴じ位置にセットされた表紙シートを加熱し、次いで上記接着剤塗布手段でシート束の背綴じ端面に接着剤を塗布するように構成する。
【００１５】
上記表紙綴じ手段は、上記背折りプレス手段の下流側に背当てプレート部材を備える。そしてこの背当てプレート部材には冷却手段を設け、上記背綴じ制御手段は上記背折りプレス部材で背折り処理したシート束を上記背当てプレート部材で冷却して接着剤を固化するように構成する。
【００１６】
次に本発明に係わる画像形成装置は、順次シート上に画像形成する画像形成手段を有する画像形成装置と、上記画像形成装置からのシートを束状に部揃えして表紙シートと綴じ合わせる製本装置とから構成する。そしてこの製本装置は上述の構成を採用する。
【発明の効果】
【００１７】
本発明は、表紙綴じ位置に背折りプレス部材と背当てプレート部材を配置した構成において背折りプレス部材に加熱手段を設けたものであるから表紙給送経路から綴じ位置に給送セットされた表紙シートは背折りプレス部材で所定温度に加熱されることとなる。従って接着剤を塗布されたシート束と表紙シートとを接合した際に接着剤層が表紙シートによって冷却固化して皮膜を形成することがないから背表紙部に凹凸、皺或いは折れ目が歪曲することがなく美観に富んだ製本が可能である。
【００１８】
また、加熱した背折りプレス部材で表紙シートの背折り側面をプレス成形することにより背表紙の折れ目は更に鮮鋭となり製本品位に優れた製本仕上げが可能である。
【００１９】
更に、背折りプレス部材の下流側に背当てプレート部材を配置して表紙シートをバックアップ支持した状態で背折り成形することにより、背表紙部内側の接着剤層は比較的短時間で冷却固化され型崩れなく背折り成形される。これと同時に背折りプレス部材に冷却手段を設けることにより、更に短時間で接着することが可能である。
【００２０】
上述のように本発明は背折りプレス部材に加熱手段を設け、また背当てプレート部材に冷却手段を設けるのみで良く簡単な構造で動作不良を招くことがないなどの顕著な効果を奏する。
【発明を実施するための最良の形態】
【００２１】
以下図示の実施の好適な態様に基づいて本発明を詳述する。図１は本発明に係わる製本装置Ｂを備えた画像形成システムを示す。図２は製本装置Ｂの要部拡大説明図。図３（ａ）（ｂ）は接着剤塗布機構の説明図である。
【００２２】
本発明の製本装置Ｂは、例えば図１に示すような画像形成装置Ａに連結され、この画像形成装置Ａから画像形成されたシートを束状に部揃えし、このシート束の端面に糊などの接着剤を塗布し、これに表紙シートを接合して背折プレス成形して製本綴じする。この表紙シートはシート束の搬送経路と交差する方向から画像形成装置或いは給紙ユニットから供給する。図１はこのような画像形成システムを示し、以下画像形成装置Ａ、製本装置Ｂの順に説明する。
【００２３】
図１に示す画像形成システムは画像形成装置Ａと製本装置Ｂと後処理装置Ｉとで構成されている。画像形成装置Ａについて説明すると、この画像形成装置Ａはコンピュータ、ワードプロセッサなどから転送される一連の文書をシート上に印刷して排紙口９から搬出する。この印刷手段としてはレーザ、インクジェット、オフセット印刷などの手段が採用可能である。図示のものは、静電ドラムなどの印刷ドラム１０と、この印刷ドラム１０にシートを供給する給紙カセット２と、印刷ドラム１０に画像を形成するレーザなどの印刷ヘッド８と、現像器４と定着器５とから構成されている。給紙カセット２から所定サイズのシートを給紙経路３に供給し、この給紙経路３には印刷ドラム１０が配置されている。この印刷ドラム１０に印刷ヘッド８で静電潜像を形成し、この潜像に現像器４でトナーインクを付着する。この印刷ドラム１０上に形成されたトナー像をシート上に転写した後、定着器５で定着して排紙口９から排出する。この定着器５はロール、ベルトなどで構成されシート状に転写されたトナーインクを加熱定着する。従って排紙口９から搬出されるシートは所定温度（Ｔｈ１；以下、「定着温度」という）に加熱され、後続する製本装置Ｂに送られる。
【００２４】
図示６は反転経路で片面に画像印刷されたシートを表裏反転して再び印刷ドラム１０に導きシートの裏面側に印刷するデュープレックスパスである。図示１１は画像読取装置であり、原稿シートをセットするプラテンと、このプラテンに沿って往復動するスキャニングキャリッジと、このキャリッジで走査した原稿画像を光電変換するＣＣＤなどの光電変換素子で構成されている。また図示１２は原稿供給装置であり、上記プラテンに原稿を自動的に供給するため、原稿をセットするトレイと、このトレイから原稿を上記プラテンに案内する搬送経路と、排紙トレイとを備えている。上記画像読取装置で読み取った原稿データは上記印刷ヘッド８のデータ記憶部に転送される。一方、このデータ記憶部はコンピュータ、ワードプロセッサなどの外部機器に接続され、この外部機器から原稿データの供給を受ける。
【００２５】
製本装置Ｂは、前記画像形成装置Ａの排紙口９から順次搬出されるシートをページ順に上下に積重ねて束状に部揃えする「シート集積手段Ｃ」と、このシート集積手段Cからシート束を製本経路に沿って移送する「束搬送ユニットＤ」と、製本経路の接着剤塗布位置に配置され上記シート束の背部端面に接着剤を塗布する「接着剤塗布手段Ｅ」と、上記接着剤塗布位置の下流側に配置された綴合せ位置に表紙シートを給送セットする「表紙搬送手段Ｆ」と、上記綴合せ位置に配置され表紙シートとシート束とを接合する「表紙綴じ手段Ｇ」と、製本仕上げされたシート束を収納する「収納スタック手段Ｈ」とから構成されている。各構成について以下説明する。
【００２６】
「シート集積手段」
図１に示すように前述の画像形成装置Ａの排紙口９にはシート搬入経路Ｐ１が連結され、このシート搬入経路Ｐ１は略々水平方向に配置され、装置中央を横断するパスで構成されている。上記シート搬入経路Ｐ１には、表紙シートを給送する給紙ユニットＪ（後述する）の給紙経路Ｐ２と、上記画像形成装置Ａからのシートを搬送する中綴じシート搬送経路Ｐ３が連接してある。そしてこれらの経路分岐部には経路切換フラッパ１５が設けられている。上記中綴じシート搬送経路Ｐ３は装置中央に配置されたシート搬入経路Ｐ１からシートを装置上方に案内するように配置され、その排紙口２０には排紙ローラ２１（シート搬送手段）、シートセンサＳｅが設けられている。
【００２７】
上記中綴じシート搬送経路Ｐ３の下流側には集積トレイ２２が排紙口２０の下方に段差を形成して配置されている。この集積トレイ２２にはシートガイド２５と、整合ローラ２４と、シート後端を位置規制する後端規制部材２３が配置されている。シートガイド２５は排紙口２０からシートを集積トレイ２２上に案内するガイド部材で構成され、整合ローラ２４はシートガイド２５に沿ってトレイ上に進入したシートを排紙方向（図２左方向）に移送し、シート後端がトレイ上に進入した後は、逆方向（図２右方向）にシートをスイッチバックさせてその後端を後端規制部材２３に突き当て整合する。このため整合ローラ２４は正逆転可能な駆動モータＭ２に連結されている。また上記シートガイド２５は集積トレイ２２上のシートをスイッチバックさせて後端規制部材２３に整合する際は排紙口２０からトレイ上に移動してシートをガイドするように揺動自在に構成され図示しない作動ソレノイドなどの駆動手段が連結してある。
【００２８】
また上記集積トレイ２２には図示しないがシートの幅方向姿勢を幅寄せ整合する整合手段が備えられている。この整合手段はシートを片側基準若しくはセンター基準で幅寄せするように例えば左右一対の整合板をトレイ上に幅方向に移動自在に配置し、少なくともいずれか一方の整合板を駆動モータなどで往復移動させるように構成する。上述の積載トレイ２２は装置フレームに固定して装備しても良いが図示のものは図１上下方向に積載位置と搬出位置との間で昇降可能に装置フレームに取り付けてある。そして集積トレイ２２側に設けたラック歯車２８をトレイ昇降モータＭ４に連結したピニオン２７に歯合し、昇降モータＭ４の正逆転で集積トレイ２２を積載位置（図１実線）と搬出位置（図１破線）との間で昇降移動するようになっている。従って集積トレイ２２上に集積されたシートは積載位置から矢印ａ方向に降下移動し、次いで矢印ｂ方向に移送して後続するグリップ搬送手段３０に転送されることとなる。
【００２９】
上述の積載トレイ２２には積載されたシート束の厚さを検知するシート束厚さ検出手段Ｓｔが配置されている。この検知手段は例えばスライダックセンサで、集積トレイ上のシートを把持するグリッパの位置を検出し、例えば抵抗値からシート束の厚さを検出する。このシート束厚さ検出手段Ｓｔは前記集積トレイ２２で集積されたシート束の厚さを検出して、後述する（１）接着剤塗布ロールとシート束とのギャップをシート束の厚さに応じて設定する。また（２）表紙シートのセット位置とその送り量をシート束の厚さに応じて調整してシート束が表紙シートのセンターと一致するようにする。また（３）後述する背折プレス手段の起動位置（待機位置）をシート束の厚さに応じて調節する。など後続する処理動作に使用する。従ってこのシート束厚さ検出手段Ｓｔは例えば排紙口２０のシートセンサＳｅでシート枚数をカウントし、平均的なシートの紙厚を乗算することで構成するなど種々の厚さ検知方法が採用可能である。
【００３０】
「束搬送ユニット」
上記集積トレイ２２からのシート束を下流側の接着剤塗布位置に搬送する束搬送ユニットＤは図２に示すようなグリップ搬送手段３０で構成されている。このグリップ搬送手段３０は図１上下方向に配置された製本経路Ｐ５に設けられている。このように製本経路Ｐ５は製本装置Ｂを縦断するように配置され、上述の集積トレイ２２から略々水平姿勢で受取ったシート束を９０度旋廻させて鉛直姿勢に偏向し、下流側の接着剤塗布位置Ｘに移送する。この為、グリップ搬送手段３０はシート束を把持する一対のクランパ３３ａ，３３ｂと、この両クランパ３３ａ，３３ｂを備えたユニットフレーム（図示せず）から構成されている。そしてこのユニットフレームは装置フレームに軸で回転自在に支持され、装置フレーム側に設けた旋回モータＭ５によって旋回動する。
【００３１】
そして上記クランパ３３ａ、３３ｂは上記ユニットフレームに昇降自在に支持され、昇降モータＭ７（不図示）によって製本経路Ｐ５内でシート束を上下方向に移送するようになっている。従って、クランパ３３ａ，３３ｂはシート束を把持するグリップ動作を上記グリップモータＭ６によって実行し、グリップしたシート束を上記旋回モータＭ５によって水平姿勢から鉛直姿勢に偏向し、次いでこの鉛直姿勢のシート束を昇降モータＭ７によって製本経路Ｐ５に沿って下流側の接着剤塗布位置Ｘに移送することとなる。
【００３２】
「接着剤塗布手段」
接着剤塗布手段Ｅは、接着剤糊などの接着剤を収容する糊容器５０と、この容器内に回転自在に取り付けられた耐熱性の多孔質材から成る塗布ロール５１と、この塗布ロール５１を回転駆動する駆動モータＭ８と、上記糊容器５０をシート束に沿って往復駆動する駆動モータＭ９とから構成される。図３（ａ）（ｂ）にその構造を図４にその動作状態を示すが、シート束の下端縁（製本時の背表紙部）Ｓ１に対し糊容器５０は短い長さ（寸法）に形成してあり、これに内蔵した塗布ロール５１と伴にシート束の下端縁Ｓ１に沿って移動するように装置フレームのガイドレール５２（図４参照）に支持されている。そしてこの糊容器５０は装置フレームに取り付けられたタイミングベルト５３に連結され、このタイミングベルト５３には駆動モータＭ９が連結してある。上記糊容器５０には加熱素子５０ｈが配置され、容器５０に充填された接着剤を溶融して液化し、同時に上記塗布ロール５１で塗布する接着剤の温度を制御する。図３（ｂ）に示すＴｓは温度センサであり、糊容器５０内の接着剤温度を検出し、後述する温度制御手段８０で上記加熱素子５０ｈに供給する電力を調整することによって接着剤の温度を制御する。尚図示の接着剤は融点が６５℃乃至９５℃の成分で構成されている。
【００３３】
上述のように糊容器５０自体がシート束に沿って移動する構成を示したが、これは糊容器５０をシート束の長さより長いトレイ形状に構成し、塗布ロール５１のみが図４左右方向に移動するようにしても良い。
【００３４】
そこで糊容器５０はホームポジションＨＰと、シート束に沿って復動作を開始するリターン位置ＲＰと、接着剤を補充する補充位置ＥＰとの間で前記駆動モータＭ９によって往復動する。そして各位置は図４に示す位置関係に設定され、リターン位置ＲＰはシート幅のサイズ情報によって設定される。また、装置電源投入時（イニシャル時）にはホームポジションＨＰに設定され、先行する例えば前記グリップ搬送手段３０のグリップセンサＳｇのシートグリップ信号から所定時間後（シート束が接着剤塗布位置に到達する見込み時間）にホームポジションＨＰからリターン位置ＲＰに向けて移動する。この移動と同時に塗布ロール５１は駆動モータＭ８で回転を開始する。尚図示Ｓ７は上記糊容器５０のホームポジションセンサである。
【００３５】
上記駆動モータＭ９の回転で、糊容器５０はガイドレール５２に沿って図４右側から左側に移動を開始する。この往路では塗布ロール５１はシート束に圧接してシート端部をバラけさせ、リターン位置ＲＰからホームポジションＨＰに戻る復路ではシート端と所定のギャップＧａを形成して接着剤を塗布する（図５参照）ように、前述のグリップ搬送手段３０の送り量を前記昇降モータＭ７で調整する。このシート束の送り量による塗布量調整は前述のシート束厚さ検出手段Ｓｔからの束厚さ情報に基づいて束厚さが厚いときにはギャップＧａを大きくして塗布量を多く設定し、束厚さが薄いときにはギャップＧａを小さくして塗布量を少なく設定している。このように前記グリップ搬送手段３０の昇降モータＭ７の制御でシート束の送り量を大小調整する代わりに上記塗布ロール５１の位置を上下調整するロール位置調整手段を設けても良い。また駆動モータＭ９は待避指示信号でシート束に接着剤を塗布する作動位置から距離を隔てて待避した待避位置ＥＰに移動し、この待避位置ＥＰに配置された接着剤タンク５４から接着剤の補給を受けるようになっている。
【００３６】
「給紙ユニットの構成」
上述の画像形成装置Ａに連結されたシート搬入経路Ｐ１には、画像形成装置とは別に中綴じシート又は表紙シートを供給する給紙ユニットＪが設けられている。この給紙ユニットＪは図１に示すようにシートをスタックする１段若しくは複数段、図示のものは２段のスタックトレイ１６と、このスタックトレイ上のシートを１枚ずつ分離するピックアップ手段１７と、このピックアップ手段１７からのシートをシート搬入経路Ｐ１に案内する給紙経路Ｐ２とから構成されている。
【００３７】
そしてスタックトレイ１６上にセットされた表紙シートは画像形成装置Ａから一連のシート（中綴じシート）が搬出された後、この最終シートの後にスタックトレイ１６から表紙シートが供給される。従ってスタックトレイ１６には表紙シートとして厚紙或いはコーティング紙などの特殊シートが準備され、後述する製本装置Ｂからの制御信号でスタックトレイ１６上のシートはシート搬入経路Ｐ１に搬入される。またスタックトレイ１６を２段設けたのは、種類の異なる表紙シートを予めスタッカに準備出来るようにしたものであり、選択された１つのスタッカから表紙シートが供給される。
【００３８】
「表紙搬送手段」
図1のシステムにおいて、シート搬入経路Ｐ１には給紙ユニットＪの給紙経路Ｐ２が連結され、この給紙経路Ｐ２からの表紙シートは経路切換フラッパ１５を介して表紙給送経路Ｐ４に導かれるようになっている。この表紙給送経路Ｐ４は前述の製本経路Ｐ５と直交するように交わり、交差部（以下、「綴合せ位置Ｋ」という）で製本経路Ｐ５からのシート束と表紙シートとを逆Ｔ状に接合して綴じ合わせるようになっている。上記表紙給送経路Ｐ４は上下に所定間隔で対向する上部搬送ガイド６３ａ，６３ｂと下部搬送ガイド６３ｄで構成され、上部搬送ガイド６３ａ，６３ｂは製本経路Ｐ５との交差部（綴合せ位置Ｋ）を境に右側の第１上部搬送ガイド６３ａと左側の第２上部搬送ガイド６３ｂに区割され左右の搬送ガイド６３ａ，６３ｂが個別に開閉動するようになっている。
【００３９】
そして上記表紙給送経路Ｐ４には、表紙シートを搬送方向と搬送直交方向でそれぞれ位置合わせするレジスト手段と、このレジスト手段で位置合わせした表紙シートを綴合せ位置Ｋに移送する表紙搬送手段Ｆが配置されている。この表紙搬送手段Ｆは表紙給送経路Ｐ４に配置された搬送ローラ対で構成され、下部搬送ガイド６３ｄに取り付けられた駆動ローラ６３ｅと上部搬送ガイド６３ａ，６３ｂに取り付けられた従動ローラ６３ｃとから構成されている。駆動ローラ６３ｅには駆動モータＭ１０が連結してある。一方上部搬送ガイド６３ａ，６３ｂと従動ローラ６３ｃとは、駆動ローラ６３ｅに圧接する位置と上方に浮上して離間する位置との間で移動可能にカムレバーなどで装置フレームに取り付けられている。
【００４０】
従って、上部搬送ガイド６３ａ，６３ｂと従動ローラ６３ｃとは図示しないカムレバーの駆動モータによって表紙シート給送経路中の表紙シートと圧接してこれを図２左側に移送する作動位置と、表紙シートから離間して浮上した退避位置との間で移動可能に構成されている。このように表紙シートは表紙給送経路Ｐ４と前記製本経路Ｐ５との交点である表紙綴じ位置Ｋに搬送され所定位置にセットされる。この表紙綴じ位置Ｋの上部搬送ガイド６３ａ，６３ｂは開閉ガイド板で構成され、製本経路Ｐ５を遮り、表紙シートの上部を案内する位置と、この製本経路Ｐ５から退避した退避位置との間で移動自在に構成されている。そしてこの第２上部搬送ガイド６３ｂは図７に示すように表紙シートを案内した後は、製本経路Ｐ５を開放するように上方に退避する。
【００４１】
「綴合せユニット」
上記表紙綴じ位置Ｋには、表紙綴じ手段６５が設けられ、製本経路Ｐ５からのシート束と表紙給送経路Ｐ４からの表紙シートとを逆Ｔ字状に接合し、その背部（背表紙部）をプレス成形する。まず製本経路Ｐ５ではグリップ搬送手段３０に把持されたシート束に接着剤塗布手段Ｅでシート束の下端縁Ｓ１に糊付けが施され、糊容器５０は経路外のホームポジションＨＰに退避する。そしてグリップ搬送手段３０はシート束を接着剤塗布位置Ｘから表紙綴じ位置Ｋに向けて製本経路Ｐ５に沿って移送する。これと同時に表紙給送経路Ｐ４では表紙綴じ位置Ｋに表紙シートが給送され静止セットされている。
【００４２】
［表紙綴じ手段の構成］
そこで上記表紙綴じ手段６５は図６、図７に示すような背当てプレート部材６４と背折りプレス部材６５ａ、６５ｂとで構成され、この背当てプレート部材６４は製本経路Ｐ５に進入した作動位置と経路外に退避した退避位置との間で進退自在に設けられている。そして背当てプレート部材６４は作動位置では表紙給送経路Ｐ４に静止セットしている表紙シートをバックアップ支持し、製本経路Ｐ５から前記グリップ搬送手段３０で移送されるシート束と表紙シートとを逆Ｔ字状に接合する。尚、このバックアップ支持は後述するように図９（ｃ）、図１０（ｄ）に示すギャップＧｂを有し、シート束の下端面Ｓ１と背当てプレート部材６４との間には少許の間隙Ｇｂが形成されている。これは背折りプレス部材６５ａ、６５ｂで表紙シートを背折り処理する際に接着剤が背当てプレート部材６４によって冷却固化されるのを防止するためである。また背当てプレート部材６４は退避位置では製本経路Ｐ５を開放し、この製本経路Ｐ５から背当てプレート部材６４が退避することによって下流側に位置する折ロール７０に向けて前記グリップ搬送手段３０がシート束を搬出することが可能となる。
【００４３】
従って背当てプレート部材６４は製本経路Ｐ５を直交方向に横切るように移動自在に装置フレームに支持され、図示しない駆動手段（電磁ソレノイド、モータなど）に連結されている。特に図示の背当てプレート部材６４は熱伝導率が高く放熱効果の大きい金属板で形成してあり、シート束に塗布した接着剤（図示のものは熱溶融性接着剤）を冷却するようになっている。このように構成された背当てプレート部材６４の上流側には上記背当てプレート部材６４と少許の間隙Ｇｂを形成して逆Ｔ字状に接合されたシート束と表紙シートとを背折りする背折りプレス部材６５ａ、６５ｂが配置されている。
【００４４】
上記背折りプレス手段６５は図６、７に示すように左右一対の背折りプレス部材６５ａ、６５ｂと、この各プレス部材６５ａ，６５ｂを背折位置（図６の状態）と待機位置（図７の状態）の間で往復動するシフト手段６６と、このシフト手段６６を制御する制御手段（後述の制御ＣＰＵ８０）とで構成されている。上記右プレス部材６５ａと左プレス部材６５ｂとは装置フレーム（図示せず）に摺動自在に支持され、その先端部にプレス片６５ｃが設けられ、左右のプレス片６５ｃで表紙シートの背部を折り曲げる。
【００４５】
この為左右一対の背折りプレス部材６５ａ、６５ｂにはラック歯車６６ａが一体に設けられ、このラック歯車６６ａにシフトモータＭ３ａとＭ３ｂに連結されたピニオン６６ｂが歯合されている。このシフトモータＭ３ａ、Ｍ３ｂはステッピングモータで構成されている。図示Ｓｂ１及びＳｂ２はホームポジションセンサであり、背折りプレス部材６５ａ，６５ｂに設けたフラグを検出する。従ってシフト手段６６は上記シフトモータＭ３ａ、Ｍ３ｂと、その伝動手段（上記ピニオン６６ｂとラック歯車６６ａ）とで構成されている。
【００４６】
尚、上記背折りプレス部材６５ａ、６５ｂには前記表紙給送経路Ｐ４で搬送された表紙シートを案内するガイド面（前述の下部搬送ガイド；以下同様）６３ｄが設けられている。このように背折りプレス部材６５ａ、６５ｂは先端部にプレス片６５ｃを備えているのと同時に表紙給送経路Ｐ４に臨む上面に表紙シートを案内するガイド面６３ｄが備えられている。このガイド面６３ｄにはピンチローラ（前述の駆動ローラ；以下同様）６３ｅが設けられ、このピンチローラ６３ｅは背折りプレス部材６５ａ、６５ｂが背折位置で製本経路Ｐ５を閉じているときにはこの経路を横断する表紙シートをガイド面６３ｄとピンチローラ６３ｅとで案内し、経路外の待機位置に退避するときにはピンチローラ６３ｅは図７の状態にガイド面６３ｄから下側に埋没する。このため常時突出するように付勢バネ（図示せず）で付勢されたピンチローラ６３ｅには作動レバー６７が上記付勢バネに抗してローラをガイド面６３ｄから埋没させるように係合配置され、この作動レバー６７は上記付勢バネより強いバネ６８で懸引され図示反時計方向に回動するようになっている。そして装置フレームには背折位置で上記作動レバー６７を時計方向に回転させる突き当てストッパ６９が設けられている。
【００４７】
これによって背折りプレス部材６５ａ、６５ｂが背折位置（図６の状態）のときにはピンチローラ６３ｅは付勢バネでガイド面６３ｄから上方に突出し、背折位置から待機位置側に離れたときにはバネ６８でガイド面６３ｄから下方に埋没するようになっている。このようにピンチローラ６３ｅをガイド面６３ｄから出没させたのは表紙シートを搬送する背折位置ではローラが突出してシートの移動を円滑に案内し、この表紙シートを背折りするために背折りプレス部材６５ａ、６５ｂを待機位置に移動するときには綴合せ位置にセットされた表紙シートをみだりに移動させないようにガイド面６３ｄから下側に埋没させるためである。
【００４８】
［背折りブロック部材の加熱手段の構成］
上述のように構成された背折りプレス部材６５には加熱手段６５ｈが設けられている。図８Ａ（ａ）に示すように左右の背折りブレス部材６５ａ、６５ｂには発熱素子が埋設され同時に温度制御用のサーモスタットＴｈｓも埋設されている。そして発熱素子は図示しない電源に接続されている。この電源は後述する制御ＣＰＵ８０で温度制御するように構成され、サーモスタットＴｈｓも制御ＣＰＵ８０に結線されている。このようにプレス部材６５に発熱素子などの加熱手段を設けたのは、（１）表紙綴じ位置Ｋに給送セットした表紙シートを加熱することによってシート束の綴じ端面に塗布した接着剤層が背折り成形前に固化するのを防止する為である。この為には表紙シートを接着剤温度と略々等しい温度に加熱昇温することが好ましい。これと同時に（２）プレス部材で表紙シートを背折りする際にその折り目をシャープにするためプレス部材自体を加熱することにある。この場合にもプレス部材を接着剤温度と略々等しい温度に維持することが好ましい。更に（３）背折り後の表装したシート束の背部を短時間に冷却固化する背当てプレート部材の冷却効果を損なわないためである。つまり背折り後はこのプレス部材をシート束から離れた待機位置に待機させ、後述する背当てプレート部材６４で接着剤を冷却固化するためである。以上から理解されるように左右一対の背折りプレス部材６５ａ、６５ｂには少なくとも一方に加熱手段６５ｈが設けられれば良い。
【００４９】
［背当てプレート部材の冷却手段の構成］
上述のように構成された背当てプレート部材６４には冷却手段６４ｆが設けられている。図８Ａに示すように背当てプレート６４は製本経路Ｐ５に対して経路内の作動位置（同図（ｂ）の状態）と経路外の待機位置（同図（ａ）の状態）に図示しない作動ソレノイドなどでシフト自在に構成されている。そしてこの背当てプレート部材６４は金属などの熱伝導製に富んだ材料で構成され、図８Ａ（ｂ）に示すように冷却手段６４ｆが設けられている。図示の冷却手段６４ｆは背当てプレート部材６４に一体的に取り付けた放熱フィン６４ａと冷却ファン６４ｂで構成されている。これにより、背当てプレート部材６４は装置内温度より低い温度に維持され、このプレート部材６４に当接した背折りシート束の接着剤は冷却固化されることとなる。従って冷却手段６４ｆは接着剤が短時間で固化する温度例えば常温に近い温度に管理されることが好ましい。このため冷却手段６４ｈとしては冷却ファン６４ｂの他、ペルチェ素子を用いても良い。そこで冷却ファン６４ｂは前記背折りプレス部材６５が表紙シートから離れた待機位置に移動した後、図８Ｂ（ｃ）に示す情態で送風作動して接着剤を短時間で固化することが好ましい。尚、図８Ｂ（ｄ）は加熱手段をペルチェ素子６５ｐで構成する場合で示し、ペルチェ素子６５ｐは例えば背折りプレス部材６５ａ、６５ｂに埋設し、その高温面を背折りプレス部材側に、低温面を前述の背当てプレート側にのぞませてある。このペルチェ素子６５ｐに通電することにより、背折りプレス部材側を高温に、背当てプレート部材側を低温に温度制御することが可能である。
【００５０】
［表紙綴じ動作の説明］
上述のように構成された背折りプレス部材６５ａ、６５ｂは次のように制御される。この背折りプレス部材６５ａ、６５ｂは、前記表紙給送経路Ｐ４から表紙シートを表紙綴じ位置Ｋに給送する際は背折位置（図９（ａ））に位置し、経路Ｐ４に給送される表紙シートを案内する。このときプレス部材６５ａ、６５ｂは前記加熱手段６５ｈで加熱されている。従って図８Ａ（ａ）で説明したように表紙綴じ位置Ｋに給送セットされた表紙シートは所定温度に昇温される。表紙シートは（昇温されながら）この状態で接着剤塗布位置らセットされているシート束に接着剤が塗布されるのを待つ。
【００５１】
次いで製本経路Ｐ５から接着剤を塗布されたシート束と表紙シートとを接合する際は、背折りプレス部材６５は製本経路Ｐ５から退避したホームポジション位置（同図（ｂ））に位置するように制御される。そこで表紙シートのセンターにシート束が逆Ｔ字状に接合され、両シートの間には接着剤層が位置している。この状態で背折りプレス部材６５ａ、６５ｂはホームポジション位置から待機位置に移動し、両シートの接合動作が完了するのを待つ（図９（ｃ）の状態）。そして上記両シートが接合された状態でプレス部材は待機位置から背折位置に移動（図１０（ｄ）参照）する。すると表紙シートは同図のように背折り成形される。このときプレス部材６５ａ、６５ｂは所定温度に昇温されているから表紙シートの折り目はシャープに形成される。これは表紙シートを折り畳むのと同時に恰もアイロンがけするように背折りするため凹凸、皺などが発生することがない。
【００５２】
尚、上述の背折り成形の際、背当てプレート部材６４は既に作動位置に位置し表シートが背折り成形する際にその背部をバックアップ支持している。この背当てプレート部材６４と表紙シートとの間には図８Ａ（ｂ）に示すように少許の間隙Ｇｂが形成してある。この間隙は背折り成型時に接着剤が背部以外に漏れ出さないように管理するためであり、同時に背表紙部がプレート部材６４に接することによって接着剤が冷却固化されるのを防止するためである。従ってこの間隙Ｇｂを形成することなく背当てプレート部材６４と背表紙部が接触した状態でプレス成型して背折り処理することも可能である。
【００５３】
次に制御ＣＰＵ８０（後述）は、背折りプレス部材６５ａ、６５ｂをホームポジションに退避させ、これと前後してグリップ搬送手段３３のグリップ部材３３ａ、３３ｂを解除（ニップ解除）する。すると図１０（ｅ）に示すように背折り成形されたシート束は背当てプレート部材６４に当接支持される。このとき前記冷却手段６４ｆの冷却ファン６４ｂは送風作動され、プレート部材６４は常温近くに冷却されている。従ってシート束の背表紙部は冷却され接着剤は比較的短時間に固化される。この状態で所定の冷却時間が経過すると制御ＣＰＵ８０は背当てプレート部材６４を経路Ｐ５から退避させる。
【００５４】
［綴じ処理制御手段の構成］
上記綴じ処理制御手段（制御ＣＰＵ）８０の構成について図１１のブロック図に従って説明する。図１に示すような画像形成装置Ａと製本装置Ｂとを連結したシステムでは、例えば画像形成装置Ａの制御部にコントロールパネル８１と、モード設定手段８２を設ける。そして画像形成装置Ａの制御ＣＰＵ７９はコントロールパネル８１で設定された例えば「印刷処理モード」「製本処理モード」に従って製本装置Ｂの製本動作を実行する。印刷処理モードでは製本装置Ｂは経路切換フラッパ１５でシート搬入経路Ｐ１に搬入された印刷シートを図２に示す表紙給送経路Ｐ４及び排紙経路Ｐ６から後処理装置８５に搬送し、この後処理装置８５に設けられたスタッカに収納する。従って印刷シートは製本装置Ｂを通過するのみである。
【００５５】
また製本処理モードが選択されると製本装置Ｂはシート搬入経路Ｐ１から中綴じシート搬送経路Ｐ３に印刷シートを導き、シート集積処理、接着剤塗布処理、表紙シート綴合せ処理を経て収納スタックユニットＨに製本済みシートを収納する。このように製本モードが選択されると画像形成装置Ａの制御手段（制御ＣＰＵ）７９は製本モードの指示信号と、これと同時に印刷シートのサイズ情報を製本装置Ｂに伝達する。このとき入力手段８３から表紙シートの坪量などの厚さ情報と、材質例えば剛い紙質であるか柔らかい紙質であるかなどの材質情報を入力し、製本装置Ｂの綴じ処理制御手段（以下、「制御ＣＰＵ」という）８０に伝達する。これと共に部数情報例えばｎページの印刷処理の時、最後のｎページの印刷が終了したときジョブ終了信号を製本装置Ｂの制御ＣＰＵ８０に転送する。
【００５６】
上記制御ＣＰＵ８０は、製本綴じ制御部と、インサータ制御部とで構成され、この制御ＣＰＵ８０にはシート搬入経路Ｐ１の搬送ローラの駆動モータと中綴じシート搬送経路Ｐ３の排紙ローラ２１の駆動モータＭ１と、表紙給送経路Ｐ４の駆動ローラ６３ｅの駆動モータＭ１０など搬送系ドライバ回路が接続されている。同様に前記集積トレイ２２を昇降するトレイ昇降モータＭ４、グリップ搬送手段３０のグリップモータＭ６及び昇降モータＭ７の駆動回路に接続されている。この昇降モータＭ７、シフトモータＭ３ａ、Ｍ３ｂはいずれもステッピングモータで構成され、制御ＣＰＵ８０からのコマンド信号で歩進ステップ数、速度などが指示される。つまり各モータの電源パルス発生器にパルス電源のパルス数、デューティ、駆動開始タイミング及び駆動終了タイミングなどのコマンド信号を制御ＣＰＵ８０から発するように結線されている。
【００５７】
一方制御ＣＰＵ８０には前記シート束厚さ検出手段Ｓｔからの検知信号、前記グリップエンドセンサＳｇ、糊容器５０のホームポジションセンサＳ７、背折りプレス部材６５ａ、６５ｂのホームポジションセンサＳｂ１、Ｓｂ２の検知信号並びに前記経路Ｐ１〜Ｐ６に配置したシート検知センサの検出信号が伝達されるように結線されている。そして制御ＣＰＵ８０には、「前記集積トレイ２２に中綴じシートを集積する動作」、「前記グリップ搬送手段３０でシート束を上記集積トレイ２２から接着剤塗布位置Ｘ及び表紙綴じ位置Ｋに移送する動作」、「接着剤塗布位置Ｘで接着剤を塗布する動作」、「表紙綴じ位置Ｋでシート束と表紙シートとを接合する動作」、「接合後に表紙シートを折り曲げる背折プレス動作」、「背折り後のシート束を搬出する動作」をそれぞれ実行する制御プログラムの記憶手段（ＲＯＭ）８４を備えている。これと同時に制御ＣＰＵ８０には前記背折りプレス部材６５ａ、６５ｂを駆動するシフトモータＭ３ａ，Ｍ３ｂの速度情報、起動タイミング（タイマテーブル）などの制御データの記憶手段（ＲＡＭ）８５を備えている。
【００５８】
［製本処理動作］
そこで上記制御ＣＰＵ８０は、図１２のフローチャートに示す手順で製本処理を実行する。前記集積トレイ２２に所定の印刷シートが部揃えされる（Ｓｔ０１）と画像形成装置Ａからのジョブ終了信号で制御ＣＰＵ８０はシート束厚さ検出手段Ｓｔからの信号でシート束の厚さを認識する（Ｓｔ０２）。このシート束の厚さ情報は後続する処理動作に於ける（１）塗布ロール５１の接着剤塗布量調整（２）背折りプレス部材６５ａ、６５ｂのプレス時間設定（３）背当てプレート部材６４の冷却時間設定にそれぞれ使用される。次に制御ＣＰＵ８０は前記トレイ昇降モータＭ４を駆動して集積トレイ２２を搬出位置（図１破線位置）に降下させシート束をグリップ搬送手段３０に引き渡す。グリップ搬送手段３０ではシート束を水平姿勢から垂直姿勢に旋回モータＭ５で姿勢偏向する（Ｓｔ０８）。
【００５９】
そして制御ＣＰＵ８０はグリップ搬送手段３０の昇降モータＭ７を起動してシートを接着剤塗布位置Ｘに移送する（Ｓｔ０９）。このとき制御ＣＰＵ８０はシート束の厚さ情報に基づいてシート束の搬送量を異ならせ前述のギャップＧａを塗布ロール５１の間に形成する。この制御は昇降モータＭ７の歩進ステップ数を電源パルス数によって増減し、シート束が厚いときはギャップＧａを大きく、薄いときは小さく設定する。
【００６０】
上記中綴じシートの移送と前後して制御ＣＰＵ８０は表紙シートを表紙綴じ位置Ｋに移送する。この表紙シートは先のモード選択のときに予め画像形成装置Ａで画像形成（タイトルなど）するのか、給紙ユニットＪから供給するのか使用者の選択によって設定されている。そこで制御ＣＰＵ８０は加熱手段６５ｈに電源供給して背折りプレス部材６５ａ、６５ｂを所定温度に昇温する（Ｓｔ１０）。そしてシート搬入経路Ｐ１に供給された表紙シートを経路切換手段１５を作動して表紙給送経路Ｐ４に案内する。するとこの経路にはシートの先端又は後端を位置検出するセンサが設けられ、このセンサからの信号でシート中央（センター）が表紙綴じ位置の基準に位置するようにセットする（Ｓｔ１１）。これと前後して制御ＣＰＵ８０は背当てプレート部材６４を製本経路Ｐ５内の作動位置に移動する（Ｓｔ１２）。
【００６１】
次に制御ＣＰＵ８０は前述の昇降モータＭ７が所定の歩進ステップ移動した段階で糊容器５０をホームポジションＨＰからリターン位置ＲＰに往路移動し、次いでリターン位置ＲＰからホームポジションＨＰに復路移動させる。この糊容器５０の往復動の過程で塗布ロール５１はシート束の下端縁Ｓ１に接着剤を塗布する（Ｓｔ１３）。糊容器５０がホームポジションＨＰに復帰した信号（Ｓｔ１４；前記ホームポジションセンサＳ７からの信号）で制御ＣＰＵ８０は表紙綴じ位置Ｋにシート束を移送する（Ｓｔ１５）。この制御は前記昇降モータＭ７を歩進制御することによって実行する。このとき制御ＣＰＵ８０はシート束の下端縁Ｓ１と前記背当てプレート部材６４との間に所定の間隙Ｇｂを形成するように昇降モータＭ７を制御する。
【００６２】
一方、上記シート束を表紙綴じ位置Ｋに移送する動作に先立って制御ＣＰＵ８０は、前述した背折りプレス部材６５ａ、６５ｂを図９（ｃ）の待機位置に移動し、前記表紙給送経路Ｐ４に表紙シートを給送セットする動作を完了している。そこで制御ＣＰＵ８０は表紙綴じ処理を実行する（Ｓｔ１６）。図１０（ｄ）に示すように前記背折りプレス部材６５ａ、６５ｂを待機位置から背折位置に移動する。このとき背当てプレート部材６４とシート束の下端縁Ｓ１との間には少許の間隙ギャップＧｂが形成されている。この背折り動作時にプレス部材は所定温度に昇温されているのでシート束の下端縁Ｓ１に塗布された接着剤は冷却固化されることなく背表紙は平坦でシャープな折れ目に折り曲げられる。
【００６３】
次に制御ＣＰＵ８０は、シート束の厚さに応じて所定のプレス時間、プレス部材を図１０（ｄ）の状態に維持する。このプレス時間の終了後、前記シフトモータＭ３ａ、Ｍ３ｂを起動して背折りプレス部材６５ａ、６５ｂを退避位置（ホームポジション）に移動する。これと前後して前記加熱手段６５ｈへの電源供給を停止する（Ｓｔ１７）。
【００６４】
この背折りプレス部材６５ａ、６５ｂの退避動作と前後して制御ＣＰＵ８０は背当てプレート部材６４の冷却ファン６４ｂを作動する（Ｓｔ１８）。次いで制御ＣＰＵ８０は前記グリップ搬送手段３０のグリップモータＭ６を逆回転させてグリップ解除する（Ｓｔ１９）。このグリップ解除動作でシート束は図１０（ｅ）の状態に自重落下してその背表紙部分が背当てプレート部材６４に当接する（Ｓｔ２０）。この背表紙が背当てプレート部材６４に当接した状態で背表紙は、プレート平面上で平坦な面に形成される。これと同時に背表紙とシート束との間の接着剤はプレート部材で強制的に冷却される。
【００６５】
そこで制御ＣＰＵ８０は予め設定された冷却時間の経過（Ｓｔ２１）を待ち、その経過後冷却ファン６４ｂを停止し（Ｓｔ２２）、背当てプレート部材６４を経路Ｐ５の外部に退避させる。このときシート束は前記グリップ搬送手段３０の昇降モータＭ７を起動してクランパ３３がシート束の後端側を把持している。次いで制御ＣＰＵ８０は上記昇降モータＭ７を起動してシート束を下流側の折ロール７０に移送する（Ｓｔ２３）。図示の折ロール７０は対向する一対のロールで構成され図１０（ｆ）に示すように一方のロール７０ａはシート束の厚さに応じてニップ位置と離間位置との間で移動自在に構成されソレノイドなどの作動手段で制御されるようになっている。そして制御ＣＰＵ８０は図示センサＳ８でシート束の下端を検出した信号で上記折ロール７０ａをニップ位置に移動してシート束をニップ保持する。
【００６６】
この折ロール７０でシート束をニップした後制御ＣＰＵ８０は前記グリップ搬送手段３０のグリップモータＭ６を解除し、次いで図示しない駆動モータで折ロール７０を回転駆動する（Ｓｔ２４）。この折ロール７０の下方にはシート束を収納するスタッカが準備され、製本処理の完了したシート束が収納される。
【図面の簡単な説明】
【００６７】
【図１】本発明の製本装置を備えた画像形成装置の全体構成図。
【図２】図１の装置に於ける製本装置部の拡大説明図。
【図３】図１の装置に於ける接着剤塗布手段の全体説明図。
【図４】図４の接着剤塗布手段における接着剤を塗布する状態の説明図。
【図５】図５の接着剤塗布手段の状態図を示し、（ａ）は往路の容器の移動状態を、（ｂ）は復路の容器の移動状態を示す。
【図６】図１の装置に於ける表紙綴じ手段の説明図であり、製本経路を閉じた状態を示す。
【図７】図１の装置に於ける表紙綴じ手段の説明図であり、製本経路を開いた状態を示す。
【図８Ａ】図６、図７における背折りプレス部材及び背当てプレート部材の詳細構造の説明図であり、（ａ）は表紙シートを綴じ位置に給送する状態を、（ｂ）は表紙シートを背折りする状態をそれぞれ示す。
【図８Ｂ】背折りプレス部材及び背当てプレート部材の詳細構造の説明図であり、（ｃ）は表紙シートを背折り後の冷却状態を示し、（ｄ）は加熱手段にペルチェ素子を用いた場合を示す。
【図９】図２の装置に於ける表紙綴じ手順の動作説明図であり、（ａ）（ｂ）（ｃ）は背折りプレス部材がホームポジションから待機位置に移動する状態を示す。
【図１０】図２の装置に於ける表紙綴じ手段の動作説明図であり、背折りプレス部材が背折位置に移動した後の状態を示す。
【図１１】図２の装置に於ける表紙綴じ制御手段の構成を示すブロック図。
【図１２】図２の装置に於ける表紙綴じ制御手段の動作手順を示すフローチャート。
【符号の説明】
【００６８】
１０    印刷ドラム（画像形成手段）
２２    集積トレイ（集積手段）
３０    グリップ搬送手段（シート束搬送手段）
３３ａ  可動側クランパ
３３ｂ  固定側クランパ
５１    塗布ロール（接着剤塗布手段）
６４    背当プレート部材（表紙綴じ手段）
６４ａ  放熱フィン
６４ｂ  冷却ファン
６４ｆ  冷却手段
７０    折りロール（搬出ローラ手段）
６５    背折りプレス部材（表紙綴じ手段）
６５ａ  右プレス部材（背折りプレス部材）
６５ｂ  左プレス部材（背折りプレス部材）
６５ｃ  プレス片
６５ｈ  加熱手段
８０    制御ＣＰＵ（綴じ処理制御手段）
Ｓt      シート束厚さ検出手段
Ｔｈｓ  サーモスタット
Ｐ４    表紙シート給送経路
Ｐ５    製本経路
Ｘ      接着剤塗布位置
Ｋ      表紙綴じ位置
Ｂ      製本装置
【図１】
2008162178.tif 000003
【図２】
2008162178.tif 000004
【図３】
2008162178.tif 000005
【図４】
2008162178.tif 000006
【図５】
2008162178.tif 000007
【図６】
2008162178.tif 000008
【図７】
2008162178.tif 000009
【図８Ａ】
2008162178.tif 000010
【図８Ｂ】
2008162178.tif 000011
【図９】
2008162178.tif 000012
【図１０】
2008162178.tif 000013
【図１１】
2008162178.tif 000014
【図１２】
2008162178.tif 000015